(57)【要約】      （修正有）【課題】大型の電気部品を実装する電子機器において、落下等の衝撃により基板の半田接合部に負荷が集中するのを緩和する構成を提供する。【解決手段】貫通穴に挿入されて底面側の面５００ｄから突出した電気回路部品５０１のリード端子と配線パターンとが電気的に接続された電気回路基板５００と、電気回路基板を電子機器内の底面部近傍で固定する基板保持部材と、基板保持部材に固定され、第１の隙間を設けて配置された電気回路部品保持部材４０１と、第１の隙間において当接される第１の弾性部材４０２とを有し、電気回路基板と電気回路部品の基板側の端面５００ｃの間には、第２の隙間が設けられ、第２の隙間を埋めるように、第２の弾性部材５０４とを有する。【選択図】図４
2016018790.tif 000002
【特許請求の範囲】
【請求項１】
電子機器の底面部近傍に配置され、少なくとも前記電子機器の底面側に配線パターンが形成され、電気回路を構成する電気回路部品（５０１）のリード端子（５０１ａ，５０１ｂ）を挿入する貫通穴（５００ａ，５００ｂ）を有し、前記配線パターンと反対側の面（５００ｃ）から、前記貫通穴（５００ａ，５００ｂ）に挿入されて底面側の面（５００ｄ）から突出した前記電気回路部品（５０１）のリード端子（５００ａ，５００ｂ）の先端部と前記配線パターンとが電気的に接続された電気回路基板（５００）と、
該電気回路基板（５００）を前記電子機器の内部の底面部近傍で固定する基板保持部材（４００）と、
該基板保持部材（４００）に固定され、前記電気回路部品のリード端子と長手方向で反対側の端面（５０１ｅ）と所定の第１の隙間を設けて配置された電気回路部品保持部材（４０１）と、
前記第１の隙間において、前記電気回路部品保持部材（４０１）の前記電気回路部品（５０１）と対向する面（４０１ａ）と、前記電気回路部品（５００）のリード端子（５００ａ，５００ｂ）と長手方向で反対側の端面（５０１ｅ）に、当接される第１の弾性部材（４０２）とを有し、
前記電気回路基板（５００）と前記電気回路部品（５０１）の基板側の端面（５００ｃ）の間には所定の第２の隙間が設けられており、前記第２の隙間を埋めるように、前記電気回路部品（５０１）の基板側の端面と前記電気回路基板（５００）に密接して配置された少なくとも一つの第２の弾性部材（５０４）とを有することを特徴とする電子機器。
【請求項２】
前記第２の弾性部材（５０４）は、前記第１の弾性部材（４０２）よりも硬度が高いことを特徴とする請求項１に記載の電子機器。
【請求項３】
前記電気回路部品（５０１）には、少なくともリード端子側の端面（５０１ｃ）に防爆用の空気穴（５０１ｄ）を有する電気回路部品を含んでおり、前記電気回路基板（５００）には、前記空気穴（５０１ｄ）と対向する位置に通気用貫通穴（５００ｅ）を有し、前記第２の弾性部材（５０４）は、開口部（５０４ａ）を有し、該開口部（５０４ａ）を前記空気穴（５０１ｄ）及び通気用貫通穴（５００ｅ）に合わせて、前記空気穴（５０１ｄ）を塞がないように前記電気回路部品（５０１）または前記電気回路基板（５００）接着固定されていることを特徴とする請求項１又は請求項２に記載の電子機器。
【請求項４】
前記第２の弾性部材（５０４）は、非導電性の材料からなることを特徴とする請求項１乃至請求項３の何れか一項に記載の電子機器。
【請求項５】
前記基板保持部材（４００）は、前記電気回路部品（５０１）の長手方向の少なくとも一部の領域において、所定の隙間を設けて前記電気回路部品（５０１）を全周囲んでいることを特徴とする請求項１乃至請求項４の何れか一項に記載の電子機器。
【発明の詳細な説明】
【技術分野】
【０００１】
本発明は、電気回路基板に実装する特に大型の電気回路部品の保持構造に関するものである。
【背景技術】
【０００２】
カメラおよびビデオカメラといった電子機器において、ストロボ装置を内蔵しているものが一般的に普及している。ストロボ装置を内蔵する電子機器の内部には、ストロボを発光するための電荷を蓄積する大型のコンデンサが実装された電気回路基板が内蔵されており、一般的には、コンデンサのリード端子部を電気回路基板のランドパターンに対して半田付けすることによって電気的に接続し、接合している。
【０００３】
そのため、電子機器に落下等により衝撃が作用すると、大型のコンデンサの半田接合部に負荷が集中して作用し、半田接合部にクラックが入ったり、ランドパターンが電気回路基板から剥離し易いという課題があった。
【０００４】
そこで、図７に示すような特許文献１では、電気回路部品１０のリード端子７にフランジ形状を有する固定補助部材２を圧入固定する。これにより、落下等により電子機器に衝撃が作用した場合であっても、固定補助部材２のフランジ部３で負荷を受けることで、半田接合部１９に負荷が集中するのを緩和することが可能となる。
【先行技術文献】
【特許文献】
【０００５】
【特許文献１】特開２００４−１８６５０８号公報
【発明の概要】
【発明が解決しようとする課題】
【０００６】
特許文献１に開示された従来技術では、電気回路部品１０のリード端子７の一つずつに固定補助部材２を入れる必要があり、作業性が良くなく、組立工数もかかる。また、固定補助部材２はリード端子７に対して圧入固定されているだけのため、電気回路部品１０に大きな負荷が作用した場合には、固定補助部材２に対して電気回路部品１０が動いてしまい、やはり、半田接合部１９に負荷が集中するというか課題が残る。
【０００７】
そこで本発明の目的は、特に大型の電気回路部品を実装する電気回路基板を内蔵する電子機器において、大型の電気回路部品の保持構造を提案することである。
【課題を解決するための手段】
【０００８】
本発明に係る電子機器の構成は、電子機器の底面部近傍に配置され、少なくとも電子機器の底面側に配線パターンが形成され、電気回路を構成する電気回路部品のリード端子を挿入する貫通穴を有し、配線パターンと反対側の面から、貫通穴に挿入されて底面側の面から突出した電気回路部品のリード端子の先端部と前記配線パターンとが電気的に接続された電気回路基板と、電気回路基板を前記電子機器内の底面部近傍で固定する基板保持部材と、基板保持部材に固定され、電気回路部品のリード端子と長手方向で反対側の端面と所定の第１の隙間を設けて配置された電気回路部品保持部材と、第１の隙間において、電気回路部品保持部材の電気回路部品と対向する面と電気回路部品のリード端子と長手方向で反対側の端面に当接される第１の弾性部材とを有し、電気回路基板と電気回路部品の基板側の端面の間には所定の第２の隙間が設けられており、第２の隙間を埋めるように、電気回路部品の基板側の端面と電気回路基板に密接して配置された少なくとも一つの第２の弾性部材とを有することを特徴とする。
【発明の効果】
【０００９】
本発明によれば、特に大型の電気回路部品を実装する電気回路基板を内蔵する電子機器において、落下等の衝撃により大型の電気回路部品と電気回路基板の半田接合部に負荷が集中するのを緩和することが可能となる。
【図面の簡単な説明】
【００１０】
【図１】（ａ）本発明におけるカメラの正面から見たストロボアップ状態の外観斜視図である。（ｂ）本発明におけるカメラの背面から見たストロボダウン状態の外観斜視図である。
【図２】本発明におけるカメラの内蔵ストロボユニットの要部上面図である。
【図３】本発明におけるカメラの正面から見た外装カバーの展開斜視図である。
【図４】本発明におけるカメラの正面から見たストロボ基板の展開斜視図である。
【図５】（ａ）本発明におけるカメラの本体フレームの上面図である。（ｂ）本発明におけるカメラの本体フレームの正面図である。（ｃ）本発明におけるカメラのメインコンデンサ周辺部の要部垂直断面図（断面Ａ−Ａ）である。（ｄ）本発明におけるカメラのメインコンデンサ周辺部の要部水平断面図（断面Ｂ−Ｂ）である。
【図６】（ａ）、（ｂ）本発明におけるカメラのストロボ基板の展開図である。
【図７】先行技術の実施例の説明図である。
【発明を実施するための形態】
【００１１】
以下に、本発明の好ましい実施の形態を、添付の図面に基づいて詳細に説明する。
図１（ａ）は、本実施例のデジタル一眼レフカメラの正面側から見たストロボアップ状態の外観斜視図、図１（ｂ）は、背面側から見たストロボダウン状態の外観斜視図である。また、図２は本実施例のデジタル一眼レフカメラのストロボ装置の要部上面図である。
【００１２】
図１に示すように、本実施例のデジタル一眼レフカメラは、カメラ本体２００の上面外装部材３０１に設けられた電源スイッチ３０２によってカメラを起動したり終了したりすることができる。
【００１３】
ユーザーが撮影状態の時には、図１に示すように、撮影者側から見て正面側に位置している正面外装部材３００の一部であるグリップ部３０３を把持し、カメラ上部には、撮影者がグリップ３０３を把持した状態で人差し指で操作しやすい位置にレリーズ釦３０４が設けられている。
【００１４】
レリーズ釦３０４の押圧方向には第一の位置と第二の位置に押端部を備えており、一般的に第一の位置ではシャッタースピードや絞り値を決定し、第二の位置では実際の撮影動作が行われる。
【００１５】
カメラ本体上部には、撮影モード、例えば、カメラの制御に全てお任せするオートモードや、撮影者がシャッタースピードや絞り値を細かく設定できるマニュアルモードといったモード切り替え可能なモードダイヤル３０５が設けられている。
【００１６】
また、３０６は、撮影者がモードダイヤル３０５によってマニュアルモードを選択した際に、例えば絞り値やシャッタースピードの設定変更をする際に使用されるダイヤル操作部材であるメイン電子ダイヤルである。
【００１７】
内蔵ストロボユニット１００は、カメラ本体２００に設けられた回転軸１１０ａ及び１１０ｂに対して回動可能に係合している。
【００１８】
３１０はストロボアップ釦であり、撮影者が押し下げすることにより、内蔵ストロボユニット１００が回転軸１１０ａ及び１１０ｂを中心に収納待機位置から発光位置まで移動する。
【００１９】
３０８は焦点検出領域選択釦であり、あらかじめカメラの機能で決定された被写体の焦点箇所を撮影者が任意に選択する際に操作する釦である。
【００２０】
カメラ本体上部には、撮影環境下の光量不足を補うための内蔵ストロボユニット１００が設けられており、電源スイッチ３０２がオフの状態の際にはカメラ本体２００の収納待機位置に格納され、カメラ本体２００より突出した緊定レバー１１４によって係止されている。
【００２１】
また、１０７は内蔵ストロボの発光管、１０８は発光管１０７が発光を始める信号を発生させるトリガーコイルであり、リード線１０９により、後述するストロボ回路基板５００にそれぞれ接続されている。
【００２２】
ここで、撮影者がモードダイヤル３０５によってオートモードを選択した場合の内蔵ストロボユニット１００が発光位置まで移動する一連の動作を以下に説明する。
【００２３】
撮影者によってレリーズ釦３０４が第一の位置へ押圧された状態になると、ファインダー近辺に設けられた不図示の測光センサーにより被写体光を測光することで、適切なシャッター速度と絞り値が決定される。
【００２４】
得られた測光結果から被写体光が所定の輝度よりも低いと判断された場合、内蔵ストロボユニット１００が駆動ばね１１２のバネ力により発光位置まで起立するために、内蔵ストロボユニット１００を係止している緊定レバー１１４を緊定部材１１５から解除する不図示の駆動回路が働く。
【００２５】
その後撮影者によってレリーズ釦３０４が第二の位置へ押圧された状態になると、後述するストロボ基板５００に実装されたメインコンデンサ５０１に電荷が蓄積され、不図示の撮像素子に被写体光が到達するように、不図示の駆動回路によってミラーユニット３２０を所定の位置に退避させる。
【００２６】
さらに、その後不図示のシャッターを開放し所定のタイミングでストロボを発光させ被写体に適切な光を照射させる。
【００２７】
なお撮影者がモードダイヤル３０５によってマニュアルモードが選択された場合には、上記露光動作に加えて、撮影者が光量不足と感じた際に意図的にストロボ装置を発光させる場合に備えて、カメラ本体２００にはストロボアップ釦３１０が備えられている。
【００２８】
次に、本実施例のデジタル一眼レフカメラにおけるストロボ回路基板の配置及び基板上の電気回路部品の保持方法について、図３〜６を用いて詳細に説明する。図３は、本発明を適用したデジタル一眼レフカメラの外装カバーの被写体側から見た展開斜視図である。図４は、本発明を適用したデジタル一眼レフカメラの本体フレーム４００へのストロボ回路基板の保持構成を示した被写体側から見た展開斜視図である。図５は、（ａ）本発明を適用したデジタル一眼レフカメラの本体フレーム４００の上面図である。（ｂ）本発明を適用したデジタル一眼レフカメラの本体フレーム４００の正面図である。（ｃ）本発明を適用したデジタル一眼レフカメラのメインコンデンサ周辺部の要部垂直断面図（断面Ａ−Ａ）である。（ｄ）本発明を適用したデジタル一眼レフカメラのメインコンデンサ周辺部の要部水平断面図（断面Ｂ−Ｂ）である。図６（ａ）、（ｂ）は、本発明を適用したデジタル一眼レフカメラのストロボ基板の展開図である。
【００２９】
図３に示すように、本発明のカメラ本体２００の外装を覆うカバーは、正面外装カバー３００、上面外装カバー３０１、背面外装カバー３０２、右側面外装カバー（メディアカバー）３０３、左側面外装カバー（ターミナルカバー）３０４、底面外装カバー３０５の６つに分割されている。また、６つに分割された外装カバーは、カメラ本体２００の骨組みをなす本体フレーム４００に対して組み付けられる。
【００３０】
また、図４に示すように、本体フレーム４００の底面部には、内蔵ストロボ１００の発光を制御するストロボ発光制御回路が形成されたストロボ回路基板５００が本体フレーム４００の底面側からビス５１０で締結固定されている。ストロボ回路基板５００には、内蔵ストロボ発光時の電荷を蓄積するメインコンデンサ５０１及びその他のストロボ基板の回路を構成する電気部品が実装されている。
【００３１】
次に、図５（ｃ）及び図６（ａ）に示すように、ストロボ回路基板５００には、少なくともカメラ２００の底面側の面５００ｄに不図示の回路パターンが形成されており、メインコンデンサ５０１のリード端子５０１ａ、５０１ｂが通る貫通穴５００ａ、５００ｂが形成されている。メインコンデンサ５０１のリード端子５０１ａ、５０１ｂは、ストロボ回路基板５００の貫通穴５００ａ、５００ｂを貫通してカメラ底面側に先端部が突出し、ストロボ回路基板５００のカメラ２００の底面側に設けられたランドパターン５００ｆ、５００ｇと半田（５００ｈ）により接合され、電気的に接続される。
【００３２】
ここで、メインコンデンサ５０１のリード端子側の端面５０１ｃには硬度の高い弾性部材（例えば、ポリカーボネイト）からなる環状のスペーサー５０４が接着固定されている。メインコンデンサ５０１は、スペーサー５０４がメインコンデンサ５０１のリード端子側の端面５０１ｃと、ストロボ回路基板５００のメインコンデンサ５０１の実装面５００ｃとの隙間を埋めるように密接した状態で、ストロボ回路基板５００に実装されている。
【００３３】
さらに、メインコンデンサ５０１のリード端子側の端面５０１ｃには、筐体に防爆用の空気穴５０１ｄが設けられており、ストロボ回路基板５００の対向する位置にも貫通穴５００ｅが設けられている。スペーサー５０４は、開口部５０４ａがメインコンデンサ５０１の空気穴５０１ｄ及びストロボ回路基板５００の貫通穴５００ｅと一致するようにメインコンデンサ５０１に接着固定されている。なお、本実施例ではスペーサー５０４を環状形状としたが、メインコンデンサ５０１の空気穴５０１ｄ及びストロボ回路基板５００の貫通穴５００ｅを避ける開口部を有していれば、環状形状でなくても構わない。また、図６（ｂ）に示すように、リード端子５００ａ、５００ｂのそれぞれにスペーサー５０４を通して設置する構成としても構わない。
【００３４】
また、図４及び図５（ｃ）に示すように、ストラップを通す開口部が設けられた耳環４０１が、本体フレーム４００の上面側よりビス４１０で締結固定されている。耳環４０１の先端部のメインコンデンサ５０１と対向する面４０１ａには、硬度の低い弾性部材（例えばモルトプレーン）からなる緩衝部材４０２が接着固定され、耳環４０１とメインコンデンサ５０１の先端面５０１ｅの隙間で圧縮固定されている。
【００３５】
さらに、図５（ｄ）に示すように、本体フレーム４００には、メインコンデンサ５０１の先端側の一部の領域で、メインコンデンサ５０１の外周面と所定の隙間を設けて全周を囲むように円筒状の開口部４００ａが形成されている。
【００３６】
以上説明した構成とすることにより、以下に示すような効果が期待できる。
【００３７】
図５に示すように、緩衝部材４０２が耳環４０１とメインコンデンサ５０１の先端面５０１ｅの隙間で圧縮固定されることで、カメラ本体２００に振動等が作用した時にメインコンデンサ５０１の先端部の振れを抑制している。
【００３８】
また、リード端子５０１ａ、５０１ｂと電気回路基板５００との半田接合部５００ｈに剥離方向の負荷を作用する緩衝部材４０２は硬度の低い材料を使用することで、半田接合部５００ｈに作用する剥離方向の力を軽減することができる。
【００３９】
さらに、本体フレーム４００は、メインコンデンサ５０１の先端側の一部の領域で、メインコンデンサ５０１の外周面と所定の隙間を設けて全周を囲んでいる。これにより、緩衝部材４０２の圧縮摩擦力よりも大きな振動加速度がメインコンデンサ５０１に作用した場合においても、メインコンデンサ５０１の振れを抑制することが可能となる。したがって、メインコンデンサ５０１に振動加速度が作用した場合において、リード端子５０１ａ、５０１ｂと電気回路基板５００との半田接合部５００ｈに負荷が作用するのを軽減することが可能となる。
【００４０】
また、スペーサー５０４をメインコンデンサ５０１のリード端子側の端面５０１ｃとストロボ回路基板５００のメインコンデンサ５０１の実装面５００ｃとの隙間に密接した状態で、メインコンデンサ５０１をストロボ回路基板５００に実装している。
【００４１】
カメラ本体２００の底面外装カバー３０５の外観面に近い底面側の方が、上面外装カバー３０１の外観面から離れている上面側よりも落下等の衝撃が内部部品に作用しやすい。外観面から近い位置にあるスペーサー５０４は硬度の高い材料を使用することにより、メインコンデンサ５０１に落下等の衝撃が作用した場合に、スペーサー５０４の変形量を小さくすることができ、半田接合部に作用する負荷を軽減することが可能となる。
【００４２】
以上、実施の形態をカメラのストロボ基板のメインコンデンサの保持方法として説明したが、特にカメラのストロボ基板のメインコンデンサに限定する必要はなく、他の電気回路基板の電気回路部品の保持方法として適用しても構わない。
【符号の説明】
【００４３】
１００  内蔵ストロボＵＮＩＩＴ、４００  本体フレーム、
４００ａ  メインコンデンサ開口部、４０１  耳環、４０１ａ  緩衝部材押え付け面、
４０２  緩衝部材、５００  ストロボ回路基板、
５００ａ，５００ｂ  リード端子貫通穴、５００ｃ  電気部品実装面、
５００ｄ  パターン面、５００ｅ  通気用貫通穴、
５００ｆ，５００ｇ  ランドパターン、５００ｈ  半田接合部、
５０１  ストロボメインコンデンサ、５０１ａ，５０１ｂ  リード端子、
５０１ｃ  リード端子側端面、５０１ｄ  防爆用の穴、５０１ｅ  先端面、
５０４  スペーサー、５０４ａ  スペーサーの開口部
【図１】
2016018790.tif 000003
【図２】
2016018790.tif 000004
【図３】
2016018790.tif 000005
【図４】
2016018790.tif 000006
【図５】
2016018790.tif 000007
【図６】
2016018790.tif 000008
【図７】
2016018790.tif 000009